(57)【要約】【課題】製品表示部とともに、識別マークを形成している直管形蛍光ランプを提供する。【解決手段】直管形蛍光ランプ１は、直管形バルブ２の一方の端部側２ａに形成された製品表示部４と、直管形バルブ２の端部側において、前記一対の接続ピン９，９を結ぶ方向と直交する方向の製品表示部４を除く外表面に形成された識別マーク５とを具備する。【選択図】図１
2004127631.tif 000002
【特許請求の範囲】
【請求項１】
両端部にそれぞれ封装された一対のフィラメント電極と内表面に被着された蛍光体膜とを備え、内部に少なくとも水銀および希ガスが封入された直管形バルブと；
直管形バルブのそれぞれの端部に装着された一対の接続ピンを有する口金と；
直管形バルブの一方の端部側に形成された製品表示部と；
直管形バルブの端部側において、前記一対の接続ピンを結ぶ方向と直交する方向の製品表示部を除く外表面に形成された識別マークと；
を具備していることを特徴とする直管形蛍光ランプ。
【請求項２】
識別マークは、製品表示部から直管形バルブの外周方向に略１８０°周回した部分に形成されていることを特徴とする請求項１記載の直管形蛍光ランプ。
【請求項３】
識別マークは、製品表示部を有する端部側と異なる端部側に形成されていることを特徴とする請求項１または２記載の直管形蛍光ランプ。
【請求項４】
識別マークは、透光性のシールに形成されており、このシールが直管形バルブに貼付されていることを特徴とする請求項１ないし３いずれか一記載の直管形蛍光ランプ。
【請求項５】
識別マークは、インクジェットにより印刷されて形成されていることを特徴とする請求項１ないし３いずれか一記載の直管形蛍光ランプ。
【発明の詳細な説明】
【０００１】
【発明の属する技術分野】本発明は、識別マークを形成している直管形蛍光ランプに関する。
【０００２】
【従来の技術】蛍光ランプには、ランプ型名や製造メーカなどの製品表示部が形成されている。この製品表示部以外のマークを形成するものとしては、製品表示部と一端側口金間に棒状のエッチバーマークを被着したものがある（例えば、特許文献１参照。）。
【０００３】
【特許文献１】特開平５−３２５８９８号公報（第２〜３頁、第１図）
【０００４】
【発明が解決しようとする課題】特許文献１は、口金を製品表示部に対して所定方向に向けて取り付けるためのものであり、表示を視認させるものではない。
【０００５】
近年、蛍光ランプは、バルブや蛍光体などがリサイクルされており、製品表示部の他に、リサイクル材料を使用している対環境製品であることなどを表示すれば、省資源などのアピールを行うことができる。
【０００６】
本発明は、製品表示部とともに、識別マークを形成している直管形蛍光ランプを提供することを目的とする。
【０００７】
【課題を解決するための手段】請求項１に記載の直管形蛍光ランプの発明は、両端部にそれぞれ封装された一対のフィラメント電極と内表面に被着された蛍光体膜とを備え、内部に少なくとも水銀および希ガスが封入された直管形バルブと；直管形バルブのそれぞれの端部に装着された一対の接続ピンを有する口金と；直管形バルブの一方の端部側に形成された製品表示部と；直管形バルブの端部側において、前記一対の接続ピンを結ぶ方向と直交する方向の製品表示部を除く外表面に形成された識別マークと；を具備していることを特徴とする。
【０００８】
製品表示部には、製品の表示が形成されている。製品の表示としては、形式、製造業者名またはその略号、定格ランプ電力、光源色及び高演色形のときは演色性の区分、大きさの区分（形）などである。
【０００９】
識別マークは、製品の表示以外の表示内容で、視認させるものであればよい。例えば、広告表示やユーザー名表示の他、リサイクル材料の使用をしている旨、リサイクル製品の使用者名などの独自の表示を用いることができる。
【００１０】
識別マークを一対の接続ピンを結ぶ方向と直交する方向のバルブの外表面に形成する理由は以下による。すなわち、直管形蛍光ランプを装着するランプソケットは、通常、ランプソケットの取付面と一対の接続ピンを結ぶ方向とが平行となるように、直管形蛍光ランプを装着する構造に形成されている。したがって、ランプソケットの取付面に対向し、かつ直管形蛍光ランプの照射空間に露出するバルブの外表面に識別マークを形成すると、識別マークを容易に視認することができる。
【００１１】
そして、識別マークは、製品表示部に並設される位置に形成してもよく、離間した位置に形成してもよい。また、一対の接続ピンを結ぶ方向と直交する方向は、当該方向の±６０°を許容するものである。
【００１２】
また、識別マークをバルブの端部側に形成することにより、直管形蛍光ランプからの光照射が遮られることが抑制される。
【００１３】
本発明によれば、識別マークは、口金の一対の接続ピンを結ぶ方向と直交する方向の直管形バルブの端部側の外表面に形成されるので、識別マークが直管形蛍光ランプからの光照射を遮ることなく視認される。
【００１４】
請求項２に記載の直管形蛍光ランプの発明は、請求項１記載の直管形蛍光ランプにおいて、識別マークは、製品表示部から直管形バルブの外周方向に略１８０°周回した部分に形成されていることを特徴とする。
【００１５】
本発明によれば、製品表示部をランプソケットの取付面に対向するように直管形蛍光ランプをランプソケットに装着することにより、識別マークのみが視認される。
【００１６】
請求項３に記載の直管形蛍光ランプの発明は、請求項１または２記載の直管形蛍光ランプにおいて、識別マークは、製品表示部を有する端部側と異なる端部側に形成されていることを特徴とする。
【００１７】
本発明によれば、識別マークと製品表示部が明確に区別され、ランプソケットへの装着時に、少なくとも一方が視認される。
【００１８】
請求項４に記載の直管形蛍光ランプの発明は、請求項１ないし３いずれか一記載の直管形蛍光ランプにおいて、識別マークは、透光性のシールに形成されており、このシールが直管形バルブに貼付されていることを特徴とする。
【００１９】
本発明によれば、直管形蛍光ランプの製造後に識別マークが形成可能であるとともに、識別マークの表示内容をカラー化することにより、識別効果が向上される。
【００２０】
請求項５に記載の直管形蛍光ランプの発明は、請求項１ないし３いずれか一記載の直管形蛍光ランプにおいて、識別マークは、インクジェットにより印刷されて形成されていることを特徴とする。
【００２１】
識別マークは、直管形蛍光ランプの組立ての工程で形成してもよく、組立て後に形成してもよい。
【００２２】
本発明によれば、識別マークは、インクジェットにより印刷されるので、容易に、かつ安価に形成される。
【００２３】
【発明の実施の形態】以下、本発明の一実施の形態について、図面を参照して説明する。まず、本発明の第１の実施形態について説明する。
【００２４】
図１は、本発明の第１の実施形態を示す直管形蛍光ランプであり、（ａ）は一部切り欠き正面図、（ｂ）は側面図である。直管形蛍光ランプ１は、直管形バルブ２、口金３、製品表示部４および識別マーク５を有している。
【００２５】
直管形バルブ２は、可視光を透過する軟質ガラスからなり、両端部２ａ，２ｂにそれぞれ一対のフィラメント電極６，６を封装し、内表面に蛍光体膜７を被着ている。また、直管形バルブ２の内部に少なくとも水銀およびアルゴンなどの希ガスが封入されている。この直管形バルブ２は、軟質ガラスおよび蛍光体膜７などをリサイクルの材料から用いることができる。
【００２６】
口金３，３は、それぞれ有底の円筒体８および一対の接続ピン９，９を有して構成されている。円筒体９は、例えばアルミニウムからなり、直管形バルブ２のそれぞれの端部２ａ，２ｂに装着される。一対の接続ピン９，９は、例えば黄銅からなり、円筒体８の底部に配設され、フィラメント電極６の両端に電気的に接続されている。
【００２７】
そして、直管形バルブ２の一方の端部側２ａの外表面に、製品表示部４および識別マーク５が形成されている。製品表示部４は、印刷により形成され、識別マーク５は、インクジェットによる印刷または透光性のシールの貼付により形成されている。製品表示部４および識別マーク５は、図１（ｂ）に示すように、一対の接続ピン９，９を結ぶ方向と直交する方向の直管形バルブ２の外表面に形成されている。また、識別マーク５は、製品表示部４から直管形バルブ２の外周方向に略１８０°周回した部分に形成されている。
【００２８】
図２は、直管形バルブ２が装着されるランプソケット１０の外観図である。ランプソケット１０は、通常、照明器具本体等の取付面１１と口金３の一対の接続ピン９，９を結んで形成される仮想面とが平行となるように、一対の接続ピン９，９が電気接続される給電子１０ａ，１０ａを設けている。したがって、直管形バルブ２をランプソケット１０に装着するときに、製品表示部を取付面１１側となるようにすることにより、識別マーク５は、直管形蛍光ランプ１の照射空間に面することになり、容易に視認される。この結果、識別マーク５の表示内容により、例えばリサイクル品の使用者名やリサイクルである旨などの宣伝が行える。
【００２９】
なお、識別マーク５は、製品表示部４と並設して形成するなど、製品表示部４の近くに形成してもよいものである。また、製品表示部４は、口金３の一対の接続ピン９，９を結ぶ方向と直交する方向の直管形バルブ２の外表面に形成することの規定などの制約は存在しないが、識別マーク５は、図２において説明した理由により、口金３の一対の接続ピン９，９を結ぶ方向と直交する方向の直管形バルブ２の外表面に形成することを要するものである。しかしながら、直管形蛍光ランプ１の照明器具本体に設けられるカバー等による包囲状態または照明器具の取付状態などにもよるが、識別マーク５は、一対の接続ピン９，９を結ぶ方向と直交する方向から外れて形成されていても視認可能である。したがって、一対の接続ピン９，９を結ぶ方向と直交する方向は、その方向の±６０°を許容する。
【００３０】
そして、インクジェット方式は、表示ピクトの形成領域を変更するだけで識別マーク５の表示内容を所望にかつ容易に印刷形成させるので、直管形蛍光ランプ１が安価に形成される。また、識別マーク５を直管形バルブ２に貼付される透光性のシールに形成することにより、識別マーク５の表示内容を数種類のカラーで形成することができ、直管形蛍光ランプ１の品質が向上される。
【００３１】
次に、本発明の第２の実施形態について説明する。
【００３２】
図３は、本発明の第２の実施形態を示す直管形蛍光ランプであり、（ａ）は正面図、（ｂ）は側面図である。なお、図１と同一部分には同一符号を付して説明は省略する。
【００３３】
図３に示す直管形蛍光ランプ１２は、図１に示す直管形蛍光ランプ１において、識別マーク５が他方の端部側２ｂに形成されたものである。すなわち、製品表示部４を有する端部側２ａと異なる端部側２ｂに識別マーク５を形成することにより、識別マーク５と製品表示部４が明確に区別され、視認が容易になる。
【００３４】
次に、本発明の第３の実施形態について説明する。
【００３５】
図４は、本発明の第３の実施形態を示す直管形蛍光ランプであり、（ａ）は正面図、（ｂ）は側面図である。なお、図３と同一部分には同一符号を付して説明は省略する。
【００３６】
図４に示す直管形蛍光ランプ１３は、図３に示す直管形蛍光ランプ１２において、製品表示部４および識別マーク５を結ぶ方向が直管形バルブ２の管軸方向となるように、かつ口金３の一対の接続ピン９，９を結ぶ方向と直交する方向の直管形バルブ２の外表面に、製品表示部４および識別マーク５が形成されたものである。これにより、識別マーク５と製品表示部４が明確に区別されるとともに、直管形蛍光ランプ１３が照明器具に装着されたときに、識別マーク５および製品表示部４の両方が視認される。
【００３７】
次に、本発明の第４の実施形態について説明する。
【００３８】
図５は、本発明の第４の実施形態を示す照明器具の外観図である。なお、図１と同一部分には同一符号を付して説明は省略する。
【００３９】
図５に示す照明器具１４は、天井等に直付けされる直付照明器具である。照明器具１４は、照明器具本体１５の下面の両端にランプソケット１０，１０が設けられ、これらランプソケット１０，１０間に直管形蛍光ランプ１が挟持され接続されている。また、直管形蛍光ランプ１に光学的に対向し、直管形蛍光ランプ１からの放射光を反射させる反射面１６ａが形成された反射体１６が照明器具本体１５に取付けられている。そして、直管形蛍光ランプ１は、製品表示部４が反射体１６に対向し、識別マーク５が下面側に面するようにして、ランプソケット１０，１０間に接続されている。
【００４０】
また、照明器具本体１５は、反射面１６ａの背面側に放電ランプ用点灯装置１７を配設している。
【００４１】
照明器具１４は、直管形蛍光ランプ１の識別マーク５が下面側に面するようにして配設されているので、識別マーク５の視認が容易になされ、識別マーク５の表示内容が認識される。
【００４２】
【発明の効果】請求項１の発明によれば、識別マークは、口金の一対の接続ピンを結ぶ方向と直交する方向のバルブ端部側の外表面に形成されるので、直管形蛍光ランプが照明器具に配設されているときに、直管形蛍光ランプからの放射光が遮られなくして、識別マークを容易に視認することができる。
【００４３】
請求項２の発明によれば、識別マークは、製品表示部から直管形バルブの外周方向に略１８０°周回した部分に形成されているので、製品表示部がランプソケットの取付面に対向するように直管形蛍光ランプをランプソケットに装着することにより、識別マークのみを視認させることができる。
【００４４】
請求項３の発明によれば、識別マークは、製品表示部を有する端部側と異なる端部側に形成されているので、識別マークと製品表示部を明確に区別することができ、直管形蛍光ランプがランプソケットに装着されているときに、少なくとも一方を視認させることができる。
【００４５】
請求項４の発明によれば、識別マークは、透光性のシールに形成されており、このシールが直管形バルブに貼付されているので、直管形蛍光ランプの製造後に識別マークを形成することができるとともに、識別マークの表示内容をカラー化することにより、識別効果を向上させることができる。
【００４６】
請求項５の発明によれば、識別マークは、インクジェットにより印刷されて形成されているので、識別マークの表示内容を容易に、かつ安価に形成することができる。
【図面の簡単な説明】
【図１】本発明の第１の実施形態を示す直管形蛍光ランプであり、（ａ）は一部切り欠き正面図、（ｂ）は側面図。
【図２】同じく、ランプソケットの外観図。
【図３】本発明の第２の実施形態を示す直管形蛍光ランプであり、（ａ）は正面図、（ｂ）は側面図。
【図４】本発明の第３の実施形態を示す直管形蛍光ランであり、（ａ）は正面図、（ｂ）は側面図。
【図５】本発明の第４の実施形態を示す照明器具の外観図。
【符号の説明】
１，１２，１３…直管形蛍光ランプ、２…直管形バルブ、３…口金、４…製品表示部、５…識別マーク
【図１】
2004127631.tif 000003
【図２】
2004127631.tif 000004
【図３】
2004127631.tif 000005
【図４】
2004127631.tif 000006
【図５】
2004127631.tif 000007